(57)【特許請求の範囲】
【請求項１】
支持部の上側に膨張・収縮自在な透光性を略全体に備えたシート製バルーンを設け、
そのバルーンの内側に光源装置を収容して、
前記光源装置を保持している基部を前記支持部に固定し、
前記バルーン膨張用空気の給気装置を前記基部に設けてあるバルーン式照明器具であって、
前記光源装置を構成するに、
前記基部に接続した金属筒に支持される筒状の光源取付枠体の周部に多数のＬＥＤ素子を取付けると共に、
前記ＬＥＤ素子を点灯させるための回路部品を前記金属筒の外周に沿って設け、
前記バルーン内での前記給気装置からの給気路は、前記金属筒の筒内部を通過する第１給気路と、前記回路部品の周囲を通過する第２給気路とを有するバルーン式照明器具。
【請求項２】
前記光源取付枠体の周部で、その周方向に所定間隔置きに内外に貫通する貫通部を複数形成し、前記給気装置からの給気を前記光源取付枠体の内側を通って前記貫通部から外方に流出する給気路を形成してある請求項１に記載のバルーン式照明器具。
【請求項３】
前記回路部品を前記光源取付枠体の内側に配置してある請求項１または２に記載のバルーン式照明器具。
【請求項４】
前記光源取付枠体をその内側で支持する前記金属筒の下端部を前記基部に取り付けると共に、前記金属筒の上端部に前記回路部品を取り付けてある請求項１〜３のいずれか１項に記載のバルーン式照明器具。
【請求項５】
前記光源取付枠体における前記ＬＥＤ素子の取付面を、斜め下方向きに形成してある請求項１〜４のいずれか１項に記載のバルーン式照明器具。
【発明の詳細な説明】
【技術分野】
【０００１】
本発明は、支持部の上側に膨張・収縮自在な透光性を略全体に備えたシート製バルーンを設け、そのバルーンの内側に光源装置を収容して、前記光源装置を保持している基部を前記支持部に固定し、前記バルーン膨張用空気の給気装置を前記基部に設けてあるバルーン式照明器具に関する。
【背景技術】
【０００２】
従来、前記照明器具における光源装置としては、クセノンショートアークランプ等の電球をソケットに取付け、そのソケットを基部に取付けて構成してあった（例えば、特許文献１参照）。
【先行技術文献】
【特許文献】
【０００３】
【特許文献１】特開２００６−２５２８６９号公報
【発明の概要】
【発明が解決しようとする課題】
【０００４】
上述した従来の光源装置では電力消費が大きく、しかも、一般的に電球の寿命は短いという問題点がある。
【０００５】
従って、本発明の目的は、上記問題点を解消し、省電力で長寿命のバルーン式照明器具を提供するところにある。
【課題を解決するための手段】
【０００６】
本発明の特徴構成は、支持部の上側に膨張・収縮自在な透光性を略全体に備えたシート製バルーンを設け、そのバルーンの内側に光源装置を収容して、前記光源装置を保持している基部を前記支持部に固定し、前記バルーン膨張用空気の給気装置を前記基部に設けてあるバルーン式照明器具であって、前記光源装置を構成するに、前記基部に接続した金属筒に支持される筒状の光源取付枠体の周部に多数のＬＥＤ素子を取付けると共に、前記ＬＥＤ素子を点灯させるための回路部品を前記金属筒の外周に沿って設け、前記バルーン内での前記給気装置からの給気路は、前記金属筒の筒内部を通過する第１給気路と、前記回路部品の周囲を通過する第２給気路とを有するところにある。
【０００７】
本発明の第１の特徴構成によれば、一般的に前記ＬＥＤ素子及び回路部品は、通電に伴う発熱により高温になれば劣化し易くなるといわれており、このＬＥＤ素子や回路部品が、閉じ込められた空間に存在することにより寿命が短くなるものと思われる。しかし、本発明は、バルーンを膨らますための給気装置からの給気を利用し、その給気路中にＬＥＤ素子及び回路部品を配置することにより、ＬＥＤ素子や回路部品は冷却され、それらの劣化を防止して寿命を長くすることができる。
【０００８】
【０００９】
また、多数のＬＥＤ素子を周部に取付けた光源取付枠体の内部に、給気装置からの給気路が形成してあることにより、ＬＥＤ素子から発生する熱が光源取付枠体に伝わり、その取付枠体が内部を通る給気装置からの給気により冷却される。しかも、光源取付枠体の周部に取付けたＬＥＤ素子は、光源取付枠体を中心として光を広く照射する。
従って、冷却効率を高く維持しながら広範囲に照らす照明器具を提供できる。
【００１０】
本発明の他の特徴構成は、前記光源取付枠体の周部で、その周方向に所定間隔置きに内外に貫通する貫通部を複数形成し、前記給気装置からの給気を前記光源取付枠体の内側を通って前記貫通部から外方に流出する給気路を形成してあるところにある。
【００１１】
本構成によれば、前記給気路によって、給気装置からの給気が光源取付枠体の周部に形成した複数の貫通部から分散して外方に流出され、光源取付枠体の周部に取付けてある多数のＬＥＤ素子夫々を冷却する。
そのために、ＬＥＤ素子全てが効率よく冷却され、簡単な構造で長く使用できる照明器具を提供できる。
【００１２】
本発明の他の特徴構成は、前記回路部品を前記光源取付枠体の内側に配置してあるところにある。
【００１３】
本構成によれば、前記回路部品を光源取付枠体の内側に配置してあるために、光源取付枠体の周部に取付けてあるＬＥＤ素子の発光に障害を来たすことなく、光源取付枠体の内側に形成される給気路を流れる給気により冷却され、長期使用が可能になる。
【００１４】
本発明の他の特徴構成は、前記光源取付枠体をその内側で支持する前記金属筒の下端部を前記基部に取り付けると共に、前記金属筒の上端部に前記回路部品を取り付けてあるところにある。
【００１５】
本構成によれば、前記基部に下端部を取り付けた金属筒に光源取付枠体が取付けられ、且つ、その上端部に回路部品を取付けてあることにより、回路部品がＬＥＤ素子による照射域を狭めることなく、しかも、回路部品が放出する熱は金属筒に奪われ、金属筒内を流れる給気により冷却される。そのために、常にＬＥＤ素子及び回路部品は、適温に保たれ易く、長期使用が果たせるようになる。
【００１６】
本発明の他の特徴構成は、前記光源取付枠体における前記ＬＥＤ素子の取付面を、斜め下方向きに形成してあるところにある。
【００１７】
本構成によれば、特に屋外作業の例のように、主に地面などの下方を多く照明する場合に、略球形のバルーンの下側が主に光度が上がり、そのために、無駄に上空にむけて光を放出せず、不必要に全体照度を上げなくとも照射すべき箇所を充分に照明できる。
従って、消費電力を低減しながら必要な照明が効果的に行える。
【図面の簡単な説明】
【００１８】
【図１】照明装置の全体側面図である。
【図２】照明器具の一部縦断面図である。
【図３】光源装置の平面図である。
【図４】光源装置の底面図である。
【図５】別実施形態の照明器具の一部縦断面図である。
【図６】別実施形態の光源装置の平面図である。
【図７】別実施形態の光源装置の底面図である。
【発明を実施するための形態】
【００１９】
以下に本発明の実施の形態を図面に基づいて説明する。
図１は、本発明による照明器具１を設けてある照明装置を示し、照明器具１に照明用電力を供給可能な発電機ユニット２と、照明器具１を発電機ユニット２よりも高い位置で支持可能な揺動フレーム２３とを、移動車輪付きの台車４に設け、揺動フレーム２３を上下方向に屈曲揺動可能に設けて、収納時に、照明器具１を支持部３の一部と共に発電機ユニット２の上方側に向けて下降可能に支持してある。
【００２０】
前記台車４は、発電機ユニット２を載置してある荷台６に、発電機ユニット２を囲むパイプ製保護枠７を固定して、その保護枠７に支持部３を固定してある。
【００２１】
前記照明器具１は、図１〜図４に示すように、パイプ状の支持部３の上側に膨張・収縮自在な透光性を略全体に備えると共に布に樹脂コーティングをしたシート製バルーン８を設け、そのバルーン８の内側に光源装置９を収容して、光源装置９を保持している基部１０を支持部３に固定し、バルーン膨張用空気の給気装置１１を基部１０に設けてある。
前記光源装置９を構成するに、上側ほど大径の円錐台形になるように縦枠１４ａを複数本周方向に並べて略筒状の光源取付枠体１４を設け、この光源取付枠体１４の縦枠１４ａ夫々に、多数個のＬＥＤ素子１５を縦列で取付け、光源取付枠体１４の下端部を基部１０に取付けた角パイプから成る金属筒１６の上端部に取付けて支持させ、ＬＥＤ素子１５を点灯させるための回路部品１７を、光源取付枠体１４の下側で金属筒１６に取付けてある。
従って、前記光源取付枠体１４におけるＬＥＤ素子１５の取付面が、斜め下方向きに形成されて、上側ほどバルーン８の内面に近づき、特に屋外作業における下方の地面側を効果的に照明できるように構成してある。
【００２２】
前記基部１０内に給気装置１１を設け、給気装置１１からの給気が金属筒１６内を通り上端から排出する第１給気路１８を形成し、基部１０の上端面で金属筒１６の外側に排気口２１を形成して、その排気口２１から隣接する回路部品１７間を通ると共に、光源取付枠体１４の内側を通って周方向に並んだ複数の縦枠１４ａ間に形成する貫通部２２夫々から外方に流出する第２給気路１９を形成すると共に、排気口２１から光源取付枠体１４の内側を通って上昇する第３給気路２０を形成し、ＬＥＤ素子１５や回路部品１７を冷却できるように、バルーン８内での給気装置１１からの給気路中にＬＥＤ素子１５及び回路部品１７を配置してある。
尚、前記給気装置１１からの給気は、前記第１、第２、第３給気路１８，１９，２０を流れてバルーン８を膨張させ、光源装置９による発光でバルーン８全体が発光する照明器具１を構成するのであるが、その給気は、バルーン８を取付ける基部１０とバルーン８との隙間やバルーン８の縫い目から外方に漏出して、前記給気路を常時維持できるものである。
従って、給気装置１１からの給気を停止すれば、バルーン８は、収縮してコンパクトに収納できる照明器具１になる。
【００２３】
また、図１に示すように、膨張状態のバルーン８の支持部３に対する姿勢変化をその外面側から規制可能な規制フレーム１２を、光源装置９の周りで、膨張状態のバルーン８の下向き外面側にのみ略沿わせる状態で設けてある。
【００２４】
前記規制フレーム１２は、円弧状に形成してある複数の規制アーム１２を、基部１０側に上下揺動自在に放射状に支持してあり、各規制アーム１２の先端側を、バルーン８の外面側で周方向に点在して取り付けてある帯板１３の内側に挿入して、バルーン８の外面側に固定してある。
【００２５】
前記回路部品１７は、主に発電機ユニットで発電した交流電源を、１００Ｖ直流電源に切換える変換器を設けてある。
【００２６】
尚、照明器具１は、バルーン８、及び、基部１０を支持している支持部３が、揺動フレーム２３から取り外し可能に構成してある。従って、取り外した照明器具１は、揺動フレーム２３とは別の三脚などの設置具に取り付け可能にしてある。
〔別実施形態〕
以下に他の実施の形態を説明する。
【００２７】
〈１〉  前記光源取付枠体１４は、略円柱状になるように縦枠１４ａを所定間隔置きに、複数本周方向に並べてあってもよい。この場合は、バルーン８全体が上から下までＬＥＤ素子１５によって内面から照射されることになる。
〈２〉  前記光源取付枠体１４は、縦枠１４ａを円弧状に湾曲させて周方向に並べて全体で略球状になるように形成してあっても良い。この場合は、バルーン８全体を略均等にＬＥＤ素子１５によって内面から均等に照射できる。
〈３〉  前記光源取付枠体１４は、縦枠１４ａに代えて、ＬＥＤ素子１５を横列に並べて取付ける横枠を、上下方向に複数列並べてあるものであっても良く、その他、多数のＬＥＤ素子１５をバルーン８の周方向に並べて取付ける枠体であれば、いかなる形状のものでも良い。
〈４〉  前記回路部品１７は、ＬＥＤ素子１５に対して下側に配置する以外に、図５〜図７に示すように、上側でも上下同じ高さに配置してあっても良い。
【００２８】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００２９】
３      支持部
８      バルーン
９      光源装置
１０    基部
１１    給気装置
１４    光源取付枠体
１５    ＬＥＤ素子
１７    回路部品
【図１】
0005477808.tif 000002
【図２】
0005477808.tif 000003
【図３】
0005477808.tif 000004
【図４】
0005477808.tif 000005
【図５】
0005477808.tif 000006
【図６】
0005477808.tif 000007
【図７】
0005477808.tif 000008